(57)【要約】【課題】適切に印刷プレビュー表示をすることで、ユーザの希望に添わない印刷であることを容易に気付かせて、希望に添わない印刷を未然に防止することのできる画像形成装置を提供する。【解決手段】画像形成装置（１１０）は、表示部（１２１）と、操作入力を行う入力操作部（１２２）と、原稿の画像を用紙に印刷形成する画像形成部（１１５）と、画像形成を行うために各部を制御する主制御部（１２９）とを備える。前記主制御部（１２９）は、原稿サイズ及び用紙サイズの何れか一方又は両方が非定形サイズである場合、前記入力操作部（１２２）による前記画像形成部（１１５）の印刷条件の設定に応じて、原稿画像と用紙とを重ねた印刷イメージを前記表示部（１２１）にプレビュー表示させる。【選択図】図２
2015012307.tif 000002
【特許請求の範囲】
【請求項１】
表示部と、操作入力を行う入力操作部と、原稿の画像を用紙に印刷形成する画像形成部と、画像形成を行うために各部を制御する制御部とを備え、前記入力操作部により印刷条件を設定して印刷を行う画像形成装置であって、
前記制御部は、
原稿サイズ及び用紙サイズの何れか一方又は両方が非定形サイズである場合、前記入力操作部による前記画像形成部の印刷条件の設定に応じて、原稿画像と用紙とを重ねた印刷イメージを前記表示部にプレビュー表示させることを特徴とする画像形成装置。
【請求項２】
前記制御部は、前記表示部に前記印刷イメージを表示させながら、前記入力操作部の操作に応じて、印刷される原稿画像のイメージの大きさを変化させることを特徴とする請求項１に記載の画像形成装置。
【請求項３】
前記制御部は、前記表示部に前記印刷イメージを表示させながら、前記入力操作部の操作に応じて、印刷に用いられる用紙のイメージの大きさを変化させることを特徴とする請求項１又は２に記載の画像形成装置。
【請求項４】
前記制御部は、前記印刷イメージにより、ユーザに再確認をさせるメッセージを前記表示部に表示させることを特徴とする請求項１から３のいずれか１項に記載の画像形成装置。
【請求項５】
前記制御部は、原稿サイズ及び用紙サイズの何れか一方が非定形サイズという設定になった時点で、前記印刷イメージを表示すること特徴とする請求項１から４のいずれか１項に記載の画像形成装置。
【発明の詳細な説明】
【技術分野】
【０００１】
本発明は、レーザービームプリンタ、ＭＦＰ、ファクシミリ、複写機等の給紙装置を有する画像形成装置に関する。
【背景技術】
【０００２】
特許文献１には、ユーザが設定した印刷条件に従って、コピーイメージをプレビュー表示、つまり印刷状態をプレビュー表示する画像形成装置が開示されている。これによって、実際のコピー処理の実行前に、自身の希望に添う出力物を得ることができるか否かを、プレビュー表示内容を視ることで確認することができるので、ユーザの希望に添わない失敗コピーを未然に防止することができる。
【０００３】
また、特許文献２には、プレビューキーを操作することで、ユーザが感覚的に仕上がり状態を認識する画像形成装置が開示されている。これによって、不慣れな利用者であってもユーザの希望に添わない失敗コピーを未然に防止することができる。
【先行技術文献】
【特許文献】
【０００４】
【特許文献１】特開２００８−２９９２２８号公報
【特許文献２】特開２０１０−５６９０４号公報
【発明の概要】
【発明が解決しようとする課題】
【０００５】
ところで、画像形成装置を利用する知識（画像形成装置を利用するための情報と言い換えてもよい）に関して、ユーザの知識レベルは、様々である。このため、画像形成装置を利用するための知識が少ないユーザの要望は、簡易に操作できること、および希望に添わない印刷を未然に防止することである。一方、画像形成装置を利用するための知識が多いユーザの要望は、大抵のことは把握しているので、操作が短時間にできること、および希望に添わない印刷を未然に防止することである。
【０００６】
この視点で各文献の技術をみると、特許文献１に記載の画像形成装置では、コピー条件の設定の完了に応じて自動的に印刷状態のプレビュー表示をする構成なので、常にプレビューを表示することになり、画像形成装置を利用するための知識が多いユーザにあっては、プレビューがあることで、操作の手数が増えて利便性を損なうことになる。
【０００７】
また、特許文献２に記載の画像形成装置では、プレビューキーを操作した場合にプレビュー表示するので、画像形成装置を利用するための知識が少ないユーザにあっては、プレビューキーを操作せず、希望に添わない印刷をしてしまうことになる。
【０００８】
本発明は、上述のごとき事情に鑑みてなされたもので、適切に印刷プレビュー表示をすることで、ユーザの希望に添わない印刷であることを容易に気付かせて、希望に添わない印刷を未然に防止することのできる画像形成装置を提供することを目的とする。
【課題を解決するための手段】
【０００９】
本発明は、表示部と、操作入力を行う入力操作部と、原稿の画像を用紙に印刷形成する画像形成部と、画像形成を行うために各部を制御する制御部とを備え、前記入力操作部により印刷条件を設定して印刷を行う画像形成装置であって、前記制御部は、原稿サイズ及び用紙サイズの何れか一方又は両方が非定形サイズである場合、前記入力操作部による前記画像形成部の印刷条件の設定に応じて、原稿画像と用紙とを重ねた印刷イメージを前記表示部にプレビュー表示させることを特徴とする。
【発明の効果】
【００１０】
本発明によれば、原稿サイズ及び用紙サイズの何れか一方又は両方が非定形サイズの場合、原稿と用紙との印刷イメージをプレビュー表示することで、ユーザが所望の印刷でないことに容易に気付けて、印刷の無駄がなくなるのを防止できる。
【図面の簡単な説明】
【００１１】
【図１】本発明の画像形成システムの一実施形態の外観図である。
【図２】画像形成装置の一構成例を示すブロック図である。
【図３】画像形成装置の操作パネル部の図である。
【図４】表示部に表示される初期画面を示す図である。
【図５】表示部に表示される原稿選択画面を示す図である。
【図６】表示部に表示される用紙選択画面を示す図である。
【図７】表示部に表示される手差し用紙選択画面を示す図である。
【図８】表示部に表示される印刷プレビュー画面を示す図である。
【図９】表示部に表示される画像サイズ変更画面を示す図である。
【図１０】表示部に表示される用紙サイズ変更画面を示す図である。
【図１１】表示部に表示される条件の選択確認画面を示す図である。
【図１２】画像形成装置の処理動作を示すフローチャートである。
【図１３】図１２に続く画像形成装置の処理動作を示すフローチャートである。
【図１４】図１３に続く画像形成装置の処理動作を示すフローチャートである。
【発明を実施するための形態】
【００１２】
以下に、この発明の実施の形態について、図面に基づいて説明する。
【００１３】
＜画像形成システムの説明＞
図１は、本発明の画像形成システムの一実施形態の外観図である。図１に示すように画像形成システム１００は、画像形成装置１１０及びコインベンダー１５０を備えている。
【００１４】
画像形成装置１１０は、自動原稿搬送装置及び多段給紙装置を備えている。
画像形成装置１１０の上部に、原稿走査部１１１が配置されており、自動原稿搬送装置で送られた原稿やコンタクトガラス上に置かれた原稿を読取る。原稿走査部１１１の前面側に操作パネル部１１２と記録媒体読取部１１３が設けられている。操作パネル部１１２は、主に、必要な情報をユーザに伝えたり、ユーザからの指示を入力するために設けられている。記録媒体読取部１１３は、後述の画像形成部で印刷するために、携帯型記録媒体に記憶されている画像データ等の情報を読取る。図１においては、記録媒体読取部１１３は、ＵＳＢメモリから情報を読み取るための端子部であるが、これに限るわけではなく、ＩＣ（Integrated Circuit）カード、ＳＤカード、スマートメディア等を読み取るものであってもよい。
【００１５】
原稿走査部１１１の下方には、排紙トレイである胴内排紙部１１４が配置されている。胴内排紙部１１４の下方であって、画像形成装置１１０の筺体内に、画像形成部１１５が配置されている。画像形成部１１５の下方に、給紙部１１６が配置されている。また、画像形成装置１１０の右側面側には、手差し給紙部１１７が配置されている。画像形成装置１１０の前面側には、前扉１１８が設けられている。前扉１１８を開放すると、画像形成部１１５に対してトナーカートリッジ、感光体カートリッジ及び現像カートリッジを脱着できる。
【００１６】
画像形成装置１１０は、その内部に画像形成部１１５を備えており、給紙部１１６、手差し給紙部１１７送られた用紙に画像を形成し、胴内排紙部１１４に排出する。
【００１７】
画像形成装置１１０の右側面の搬送路開放扉１１９は、手差し給紙部１１７が一体的に設けられている。ユーザが搬送路開放扉１１９を右側に開放した際、搬送路開放扉１１９は、手差し給紙部１１７と一体的に移動して、内部の搬送路を開放することで、搬送路内のジャムした用紙を除去できる。
【００１８】
コインベンダー１５０は、画像形成システム１００の利用に必要な料金を投入するために画像形成装置１１０の左側に配置されている。コインベンダー１５０の上面には、コインの投入口１５１とコインの返却ボタン１５２が設けられている。ユーザは、コイン投入口１５１から料金であるコインを投入する。ユーザが画像形成システム１００の利用を中止した際に、ユーザはコイン返却ボタン１５２を押して、コインベンダー１５０内のコインをコインベンダー前面側に設けられたコイン返却口１５３に出すことができる。
なお、図１では、コインベンダー１５０は、コインの投入口１５１からコインを投入しているが、金額データが記憶されたカードから残金を読み取り、必要な金額を差し引いて記録するリーダ／ライタを備えてもよい。
【００１９】
＜画像形成装置のブロック図の説明＞
図２は、画像形成装置１１０の一構成例を示すブロック図である。図２に示すように画像形成装置１１０は、先に述べた原稿走査部１１１、操作パネル部１１２、記録媒体読取部１１３及び画像形成部１１５の他に、表示部１２１、入力操作部１２２、通信インターフェース１２３、電力制御部１２４、一時記憶部（ＲＡＭ）１２５、読取画像データ生成制御部１２６、印刷制御部１２７、記憶部１２８、及び主制御部１２９を備えている。操作パネル部１１２は、表示部１２１と入力操作部１２２を備える構成である。これら各部は、バス１３０を介して相互接続されている。
【００２０】
主制御部１２９は、バス１３０を介して接続された上記各部の動作、すなわち、画像形成装置１１０の全体の動作を制御するものである。この主制御部１２９は、例えばＣＰＵ（Central Processing Unit）等からなり、記憶部１２８に格納されている各種のプログラムや操作のための案内情報などの表示データを一時記憶部１２５にロードし、この一時記憶部１２５内のプログラムを実行し、データを処理しつつ、ユーザからの指示内容等に基づいて画像形成装置１１０の上記各部の動作を制御し、各種の処理（原稿読取処理、印刷処理等）を実行する。また、各構成の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００２１】
表示部１２１は、原稿読取処理、印刷処理等の各処理の実行に際し、ユーザに提示すべき各種の情報を表示する。入力操作部１２２は、ユーザにより入力操作され、ユーザからの操作指示を受け付けて主制御部１２９に伝達する。ユーザは、表示部１２１に表示された各種の情報を見ながら、入力操作部１２２を操作して、必要な指示を主制御部１２９に送る。
【００２２】
原稿走査部１１１は、原稿を走査して光学的に読み取るものである。読取画像データ生成制御部１２６は、原稿走査部１１１により読み取られた光学信号を電気信号に変換して画像データを生成し、この画像データに各種の処理を施す。
【００２３】
通信インターフェース１２３は、画像形成装置１１０に通信可能に接続された外部装置との通信を制御するものである。通信インターフェース１２３は、ファクス通信部、インターネット用通信部、赤外線通信部、ＷｉＦｉ通信部等を備えている。
【００２４】
記録媒体読取部１１３は、ＩＣ（Integrated Circuit）カード、ＵＳＢメモリ、ＳＤカード、スマートメディア等の携帯型記録媒体に記憶されている画像データ等の情報を読取る。
【００２５】
読取画像データ生成制御部１２６で生成された画像データ、通信インターフェースを介して得られた画像データ及び記録媒体読取部１１３により携帯型記録媒体から読み取られた画像データは、一時記憶部１２５に一時的に格納される。   
【００２６】
画像形成部１１５は、画像データを一時記憶部１２５から読み出し、この画像データに応じた画像を記録用紙上に印刷形成する。印刷制御部１２７は、画像形成部１１５の印刷処理動作を制御する。
【００２７】
電力制御部１２４は、電力を各部に供給し、また画像形成装置１１０における消費電力の検知処理、待機状態への移行処理、及び電源オフ処理などを制御する。
【００２８】
図３は、画像形成装置１１０の操作パネル部１１２の図である。図３を用いて、操作パネル部１１２に関して説明する。
【００２９】
操作パネル部１１２は、表示部１２１と入力操作部１２２を備える。
【００３０】
表示部１２１は、タッチパネル方式の表示部であり、イメージ図やメッセージ等の案内情報やソフトキーを表示して、ユーザに情報を提示し、ユーザからの指示を受け付ける。
図２に示した主制御部１２９は記憶部１２８から案内情報やソフトキーを適宜読み出して、図３のように、表示部１２１に表示する。
【００３１】
入力操作部１２２は、表示部１２１上に表示されるソフトキー１４１及び表示部１２１の右側に配置されたハードキー１４２からなる。以下、ハードキー１４２について説明する。テンキー１４３は、主に数値の入力をするためのキーである。クリアキー１４４は、入力した数値をクリアするためのキーである。全解除キー１４５は、条件設定の途中で、それまでの設定を解除するためのキーであり、操作後に、待受け画面を表示する。スタートキー１４６は、コピーモードやプリントモードで、選択した条件を基に、処理の開始を指示するためのキーである。
また、図３の表示画面は、待受け画面であり、詳細は後述する。
【００３２】
＜表示部１２１の操作画面説明＞
図４〜図１１を用いて、ユーザがコピー条件を入力する際に、表示部１２１に表示される画面の遷移と処理手順について説明する。
【００３３】
（１）初期画面
図４は、待受け時に表示される画面（初期画面）２００であり、コピーモードとプリントモードのユーザの利用を促す画面である。初期画面２００には、「いらっしゃいませ」のメッセージ２０１と「硬貨を入れてください」のメッセージ２０２、コピーモードキー（「コピーをご利用のお客様」と書かれたキー）２０３とプリントモードキー（「プリントをご利用のお客様」と書かれたキー）２０４のソフトキー、画像形成システム１００の外観図２０５、利用価格２０６等を表示している。
【００３４】
コピーモードキー２０３は、コピーモード設定画面に誘導するためのソフトキーである。プリントモードキー２０４は、プリントモード設定画面に誘導するためのソフトキーである。プリントモードとは、ＳＤカード、スマートメディア等の携帯型記録媒体に記録された画像データを読み出して印刷するモードである。
【００３５】
画像形成システム１００の外観図２０５は、画像形成装置１１０とコインベンダー１５０の外観を表示して、コインの入れ場所を示すためのものである。
【００３６】
利用価格の表示部分２０６は、ユーザに料金を報知するためのものである。利用価格２０６には次のような表示がなされている。白黒で印刷する場合には、全てのサイズの用紙で、１枚が１０円であることを示す。また、カラーで印刷する場合には、Ｂ４以下のサイズは１枚が５０円であり、Ａ３サイズは１枚が８０円であることを示している。更に、Ａ４光沢紙は１枚が１５０円であることを示している。
【００３７】
図４の表示時に、コインベンダー１５０のコイン投入口１５１から所定の金額が投入され、または金額データが記憶されたカードがリーダ／ ライタに挿入された場合、金額データは主制御部１２９へ出力され、主制御部１２９は一時記憶部（ＲＡＭ）１２５に金額データを記憶する。
【００３８】
コインベンダー１５０のコイン投入口１５１から所定の金額が投入された状態で、コピーモードキー２０３又はプリントモードキー２０４を押すと、それぞれ、コピーモードの選択画面、プリントモードの選択画面に移行する。
【００３９】
ここでは、コピーモードの選択画面に関して詳述する。
【００４０】
（２）原稿選択画面
コピーモードキー２０３を押すと、図５に示すように、原稿選択画面２１０が表示される。原稿選択画面２１０は、「非定形サイズ」２１１と、定形サイズ２１２では、Ａ３、Ａ４、Ａ５、Ｂ４、Ｂ５、はがきを選択することが出来る。
また、「自動」キー２１３をタッチして選択すると、ユーザがサイズを選択することなしに、センサにより画像形成装置１１０が自動的に原稿サイズを取得する。
表示画面の右端には、「ＯＫ」キー２１６、「終了」キー２１８が配置されている。
【００４１】
（３）用紙選択画面
図６に示すように、用紙選択画面２２０には、各トレイに収容された用紙を示すキー２２１が表示されている。このトレイに収容された用紙の種類の設定は、トレイの用紙種類の設定画面（図示しない）で設定されている。図６の事例では、トレイ１、トレイ２、トレイ３、トレイ４及びトレイ５に対応して、それぞれ、Ａ４サイズ普通紙（単にＡ４と表示）、Ａ４サイズ光沢紙（Ａ４光沢紙と表示）、Ｂ５サイズ普通紙（単にＢ５と表示）、Ｂ４サイズ普通紙（単にＢ４と表示）及びＡ３サイズ普通紙（単にＡ３と表示）が表示されて、各種の用紙の選択が可能となっている。
【００４２】
また、用紙選択画面２２０には、手差し給紙部（手差しトレイ）１１７に対応した手差しトレイキー２２２には用紙表示枠が表示されているが、手差し給紙部（手差しトレイ）１１７は、常時、用紙をセットするトレイではなく、必要時に、用紙をセットするトレイであるので、デフォルトでは用紙の種類は表示されていない。後述する「手差し用紙選択画面」において用紙の種類を選択することができる。
【００４３】
つまり、トレイ１からトレイ５までは、５種類の定形サイズを使用するように設定できる。非定形サイズは、ユーザによって種々のサイズが存在するので、ユーザが持ち込んで、手差しで使用するようにしてあり、上述のように非定形の用紙のサイズ設定を可能としている。手差しでは、当然であるが、定形サイズも使用できる。
なお、表示画面の右端には、「ＯＫ」キー２２６、「戻る」キー２２７、「終了」キー２２８が配置されている。
【００４４】
（４）手差し用紙選択画面
用紙選択画面の手差しトレイキー２２２を操作すると、図７に示す手差し用紙選択画面２３０に移行して、手差しで使用する用紙の種類の選択ができるようになっている。手差し用紙選択画面２３０では、手差しで使用を許容している用紙である用紙の種類が表示されている。図７の手差し用紙選択画面２３０の事例では、使用を許容している用紙の種類を選択可能なソフトキーとして、「非定形用紙（普通紙のみ）」２３１、「はがき」２３３、「厚紙」２３４及び「ＯＨＰ用紙」２３５を設けてある。「非定形用紙」２３１は、手差しトレイにセットする方向が図示されており、非定形サイズのＸ辺とＹ辺とを、Ｘ辺又はＹ辺の入力枠をタッチした後に、アップキー２３２ａとダウンキー２３２ｂを使用して入力できるようになっている。Ｘ辺とＹ辺の入力枠には、それぞれ、１００ｍｍと１５０ｍｍがデフォルト値として入っている。これは、最小サイズの用紙を制限しているためである。尚、Ｘ辺とＹ辺の最大値も所定の値にセットされており、その値以上は、アップキー２３２ａとダウンキー２３２ｂを操作しても入力できないようになっている。
なお、表示画面の右端には、「ＯＫ」キー２３６、「戻る」キー２３７、「終了」キー２３８が配置されている。
【００４５】
（５）印刷プレビュー画面
原稿と用紙のいずれか一方又は両方が非定形サイズの場合に、図８の印刷プレビュー画面２４０を表示する。画面中には、用紙のイメージ２４４と原稿画像のイメージ２４５が重ねあわされて表示されている（印刷イメージ２４１）。この印刷イメージ２４１は、両者の実際サイズを基にして、相対的に対比させたもので、用紙に対して画像がどのように配置されるかを表している。用紙や画像の向きについても表現される。こうして画像形成部１１５で印刷される印刷イメージが表示される。
【００４６】
印刷プレビュー画面で確認して変更したい場合、画像キー２４２か用紙キー２４３かを操作して、画像（原稿）サイズを変更するか、用紙サイズを変更するか、を決定する。
なお、表示画面の右端には、「ＯＫ」キー２４６、「戻る」キー２４７、「終了」キー２４８が配置されている。
【００４７】
（６）画像サイズ変更画面
図８の画像キー２４２にタッチして画像（原稿）サイズ変更を選択すると、図９の画像サイズ変更画面２５０が表示される。用紙と画像の重なりイメージ（印刷イメージ）２５１の横に、変倍キー２５２が配置されている。変倍キー２５２を操作すると、倍率値が変更される。倍率値に応じて、用紙と画像（原稿）の重なりイメージ（印刷イメージ）２５１の画像（原稿）イメージのサイズが変更されるので、ユーザは用紙に対して、画像が適切に配置されるかを確認できる。また、ユーザは印刷イメージ２５１を確認しながら変倍キー２５２を操作できるので、操作が簡単で確実なサイズ設定ができる。
なお、表示画面の右端には、「ＯＫ」キー２５６、「戻る」キー２５７、「終了」キー２５８が配置されている。
【００４８】
（７）用紙サイズ変更画面
図８の用紙キー２４３にタッチして用紙サイズ変更を選択すると、図１０の用紙サイズ変更画面２６０が表示される。用紙と画像（原稿）の重なりイメージ（印刷イメージ）２６１の横に、用紙サイズキー２６２が配置されている。用紙サイズキー２６２を操作すると、操作した用紙サイズキーが反転表示される。それに加えて、用紙サイズに応じて、用紙と画像（原稿）の重なりイメージ（印刷イメージ）２６１の用紙イメージのサイズが変更されるので、ユーザは画像が適切に配置される用紙を選択することが出来る。また、ユーザは印刷イメージ２６１を確認しながら用紙サイズキー２６２を操作できるので、操作が簡単で確実なサイズ設定ができる。
なお、表示画面の右端には、「ＯＫ」キー２６６、「戻る」キー２６７、「終了」キー２６８が配置されている。
【００４９】
（８）条件の選択確認画面
各印刷条件の選択が終了した時点で、図１１の条件の選択確認画面２７０が表示される。条件の選択確認画面２７０では、原稿サイズ、用紙サイズ、変倍率、部数、カラーモード及び濃度の設定の表示項目２７１が配置され、現在の設定が表示される。
なお、表示画面の右端には、「ＯＫ」キー２７６、「戻る」キー２７７、「終了」キー２７８が配置されている。
【００５０】
＜画像形成装置の処理＞
図１２〜１４は、各種類の原稿（普通厚さの定形サイズ原稿、厚い定形サイズ原稿、非定形サイズ原稿）、各種類の用紙（非定形サイズの用紙、はがき、光沢紙、厚紙、ＯＨＰ用紙等）を使用する場合のフローチャートを示す。
【００５１】
主制御部１２９は、記憶部１２８から表示情報を読み出して図４の初期画面２００を表示部１２１に表示する（ステップＳ１１）。
【００５２】
ユーザが「コピーをご利用のお客様」キー２０３のコピーモードを選択した場合（ステップＳ１２；Ｙｅｓ）、主制御部１２９は、表示部１２１に図５の原稿選択画面２１０を表示して（ステップＳ１３）、ステップＳ１６に進む。
【００５３】
ユーザがコピーモードを選択しなかった場合（ステップＳ１２；Ｎｏ）、主制御部１２９は、ユーザが「プリントをご利用のお客様」キー２０４のプリントモードを選択したかを判定する（ステップＳ１４）。ユーザがプリントモードを選択した場合（ステップＳ１４；Ｙｅｓ）、プリントモードの処理を行い（ステップＳ１５）、ステップＳ１１に戻る。
ユーザがプリントモードを選択しなかった場合（ステップＳ１４；Ｎｏ）、ステップＳ１２に戻る。
【００５４】
ステップＳ１６において、図５の原稿選択画面２１０が表示された状態で、主制御部１２９は、ユーザがどのソフトキーを選択したかを判定する。ユーザが「ＯＫ」キー２１６を選択した場合は、ステップＳ２２に進む。ユーザが「終了」キー２１８を選択した場合は、ステップＳ１１に戻る。ユーザが「定形サイズ」キー２１２を選択した場合は、主制御部１２９は、ユーザが選択した定形サイズを設定する（ステップＳ１７）。また、主制御部１２９は、表示部１２１の選択された定形サイズの操作キーを反転表示させて、設定された定形サイズをユーザに報知する（ステップＳ１８）。ユーザが「自動」キー２１３を選択した場合は、主制御部１２９は、センサによる原稿サイズの検出結果を取得して（ステップＳ１９）、ステップＳ１７、Ｓ１８の処理を行う。ユーザが「非定形サイズ」キー２１１を選択した場合は、主制御部１２９は原稿サイズを非定形に設定する（ステップＳ２０）。また、主制御部１２９は、表示部１２１の非定形サイズの操作キー２１１を反転表示させて、非定形サイズが設定されたことをユーザに報知する（ステップＳ２１）。
【００５５】
こうして、「ＯＫ」キー２１６が選択された場合にのみ、設定が確定し、設定情報は、一時記憶部１２５に記憶される。
【００５６】
ステップＳ２２において、主制御部１２９は、トレイの用紙情報を取得して、図６の用紙選択画面２２０を表示部１２１に表示する。
ステップＳ２４において、図６の用紙設定画面２２０が表示された状態で、主制御部１２９は、ユーザがどのソフトキーを選択したかを判定する。ユーザが「戻る」キー２２６を選択した場合は、ステップＳ１３に戻る。ユーザが「終了」キー２２８を選択した場合は、ステップＳ１１に戻る。ユーザが「ＯＫ」キー２２６を選択した場合は、ステップＳ２５に進む。ユーザが「手差しトレイ」キー２２２を選択した場合は、ステップＳ２６にて図７の手差し用紙選択画面２３０を表示部１２１に表示し、ステップＳ２９に進む。ステップＳ２４において、ユーザが「トレイ１〜５」のキーを選択した場合は、主制御部１２９は、ユーザが選択した用紙サイズを設定する（ステップＳ２７）。また、主制御部１２９は、表示部１２１の選択された用紙サイズの操作キーを反転表示させて、ユーザに設定された用紙サイズを報知する（ステップＳ２８）。そして、ステップＳ２４に戻る。
【００５７】
こうして、「ＯＫ」キー２２６が選択された場合にのみ、設定が確定し、設定情報は、一時記憶部１２５に記憶される。
【００５８】
ステップＳ２９において、図７の手差し用紙選択画面２３０が表示された状態で、主制御部１２９は、ユーザがどのソフトキーを選択したかを判定する。ユーザが「戻る」キー２３７を選択した場合は、ステップＳ２２に戻る。ユーザが「終了」キー２３８を選択した場合は、ステップＳ１１に戻る。ユーザが「非定形用紙」２３１のアップキー２３２ａを選択した場合は、用紙サイズ値を増加させる（ステップＳ３０）。ユーザが「非定形用紙」２３１のダウンキー２３２ｂを選択した場合は、用紙サイズ値を減少させる（ステップＳ３１）。ユーザが「はがき」キー２３３、「厚紙」キー２３４あるいは「ＯＨＰ」キーのいずれかを選択した場合は、その用紙サイズに設定を行う（ステップＳ３２）。主制御部１２９は、表示部１２１の選択された用紙サイズの操作キーを反転表示させて、ユーザに設定された用紙サイズを報知する（ステップＳ３３）。
ステップＳ３０、Ｓ３１、Ｓ３３の処理が済むと、ステップＳ２７に戻る。
ユーザが「ＯＫ」キー２３６を選択した場合は、ステップＳ２５に進む。
【００５９】
こうして、「ＯＫ」キー２３６が選択された場合にのみ、設定が確定し、設定情報は、一時記憶部１２５に記憶される。
【００６０】
ステップＳ２５において、主制御部１２９は一時記憶部１２５に記憶した設定情報から原稿および用紙はいずれも定形であるかを判定する。定形でなければ、ステップＳ３４にて、図８の印刷プレビュー画面２４０を表示する。
【００６１】
ステップＳ３５において、図７の印刷プレビュー画面２４０が表示された状態で、主制御部１２９は、ユーザがどのソフトキーを選択したかを判定する。ユーザが「戻る」キー２４７を選択した場合は、ステップＳ２２に戻る。ユーザが「終了」キー２４８を選択した場合は、ステップＳ１１に戻る。ユーザが「ＯＫ」キー２４６を選択した場合は、ステップＳ３８に進む。ユーザが「画像」キー２４２を選択した場合は、「画像」キー２４２を反転表示してユーザに画像変更モードになったことを報知する（ステップＳ３６）。ユーザが「用紙」キー２４３を選択した場合は、「用紙」キー２４３を反転表示してユーザに画像変更モードになったことを報知する（ステップＳ３７）。
ステップＳ３６、Ｓ３７の処理を終えると、ステップＳ３５に戻る。
【００６２】
ステップＳ３８において、主制御部１２９は「画像」キー２４３が反転表示されているかを確認する。「画像」キー２４３が反転表示されている場合、図９の画像サイズ変更画面２５０を表示部１２１に表示する（ステップＳ３９）。
【００６３】
ステップＳ４０において、図９の画像サイズ変更画面２５０が表示された状態で、主制御部１２９は、ユーザがどのソフトキーを選択したかを判定する。ユーザが「戻る」キー２５７を選択した場合は、ステップＳ３４に戻る。ユーザが「終了」キー２５８を選択した場合は、ステップＳ１１に戻る。ユーザが「ＯＫ」キー２５６を選択した場合は、ステップＳ４８に進む。ユーザが変倍キー２５２を選択した場合は、主制御部１２９は変倍キー２５２に応じて表示倍率を変更する（ステップＳ４１）。そして、表示倍率に応じてプレビューの画像の大きさを変更して表示し（ステップＳ４２）、ステップＳ４０に戻る。
【００６４】
こうして、「ＯＫ」キー２５６が選択された場合にのみ、設定の変更が確定し、一時記憶部１２５の設定情報を書き換える。
【００６５】
ステップＳ３８において、「画像」キー２４２が反転表示されていなければ、主制御部１２９は、「用紙」キー２４３が反転表示されていないかを確認する（ステップＳ３５）。「用紙」キー２４３が反転表示されている場合、図１０の用紙サイズ変更画面２６０を表示部１２１に表示する（ステップＳ４４）。
【００６６】
ステップＳ４５において、図１０の用紙サイズ変更画面２６０が表示された状態で、主制御部１２９は、ユーザがどのソフトキーを選択したかを判定する。ユーザが「戻る」キー２６７を選択した場合は、ステップＳ３４に戻る。ユーザが「終了」キー２６８を選択した場合は、ステップＳ１１に戻る。ユーザが「ＯＫ」キー２６６を選択した場合は、ステップＳ４８に進む。ユーザが用紙サイズキー２６２を選択した場合は、主制御部１２９は用紙サイズキー２６２に応じて用紙を選択する（ステップＳ４６）。そして、選択されたトレイに応じてプレビューの用紙の大きさを変更して（ステップＳ３９）、ステップＳ４５に戻る。
【００６７】
こうして、「ＯＫ」キー２６６が選択された場合にのみ、設定の変更が確定し、一時記憶部１２５の設定情報を書き換える。
【００６８】
ステップＳ４８において、図１１の条件の選択確認画面２７０を表示部１２１に表示する。このとき主制御部１２９は、一時記憶部１２５から設定情報を読み出して表示部１２１に表示させる。
【００６９】
ステップＳ４９において、図１１の条件の選択確認画面２７０が表示された状態で、主制御部１２９は、ユーザがどのソフトキーを選択したかを判定する。ユーザが「ＯＫ」キー２７６あるいは「スタート」キー１４６を押した場合は、ステップＳ５０に進む。ユーザが「戻る」キー２７７を選択した場合は、ステップＳ３４に戻る。ユーザが「終了」キー２７８を選択した場合は、ステップＳ１１に戻る。
【００７０】
こうして、設定の条件の最終確認をユーザに行わせてから、コピー処理に入る。これにより、誤りなくコピー処理ができるので、印刷の無駄を防ぐことができる。
【００７１】
ステップＳ５０において、主制御部１２９は、画像形成部１１５に、一時記憶部１２５に記憶した設定条件でコピーを行わせる。主制御部１２９は、コピーが終了したかを確認し（ステップＳ５１）、処理を終了する。
【００７２】
こうして、画像データ及び用紙サイズのうち少なくとも一方が非定形サイズの場合、画像データと用紙との関係を重ねたイメージで印刷イメージをプレビュー表示することで、ユーザが所望の印刷でないことに容易に気付けて、印刷の無駄を防止できる。
また、画像データと用紙との関係を重ねた印刷イメージをプレビュー表示しながら、画像の変倍や用紙サイズの変更を行うことにより、ユーザが適切に原稿サイズや用紙サイズが選択されているかを確認でき、印刷の無駄を防止できる。
また、印刷の条件を設定する場合に、ユーザが確認して「ＯＫ」キーを選択することにより設定を確定するので、誤った印刷条件を設定することを防ぐことができる。特に、印刷プレビュー画面で印刷イメージをユーザが確認して、「ＯＫ」キーを選択することにより設定を最終的に確定するので、より確実に適切な設定が可能となる。
【００７３】
また、上記フローチャートでは、原稿サイズの設定と用紙サイズの設定が終った時点で、定形か非定形かを判断しているが（ステップＳ２５）、原稿サイズと用紙サイズのいずれかが非定形サイズという設定になった時点で、直ちに印刷イメージを表示してもよい。このようにすれば、ユーザは早期に印刷イメージから原稿サイズや用紙サイズが適切かを判断でき、操作の手数を低減できる。
【００７４】
以上、この発明の実施形態を図面を参照して詳述してきたが、具体的な構成はこれらの実施形態に限られるものではなく、この発明の要旨を逸脱しない範囲の設計変更等された発明も含まれる。
【００７５】
本発明は、表示部（１２１）と、操作入力を行う入力操作部（１２２）と、原稿の画像を用紙に印刷形成する画像形成部（１１５）と、画像形成を行うために各部を制御する制御部（１２９）とを備え、前記入力操作部により印刷条件を設定して印刷を行う画像形成装置（１１０）であって、
前記制御部（１２９）は、原稿サイズ及び用紙サイズの何れか一方又は両方が非定形サイズである場合、前記入力操作部（１２２）による前記画像形成部（１１５）の印刷条件の設定に応じて、原稿画像と用紙とを重ねた印刷イメージを前記表示部（１２１）にプレビュー表示させることを特徴とする。
【００７６】
このような構成にすることで、原稿サイズ及び用紙サイズの何れか一方又は両方が非定形サイズの場合、ユーザの所望の印刷結果を得ることが難しいが、原稿サイズ及び用紙サイズの何れか一方又は両方が非定形サイズであることに応じて、原稿と用紙との関係を重ねた印刷イメージのプレビュー表示をすることで、ユーザが所望の印刷でないことに容易に気付けて、印刷の無駄がなくなる。
【００７７】
また、本発明の画像形成装置（１１０）において、前記制御部（１２９）は、前記表示部（１２１）に前記印刷イメージを表示させながら、前記入力操作部（１２２）の操作に応じて、印刷される原稿画像のイメージの大きさを変化させることを特徴とする。
【００７８】
このような構成にすることにより、ユーザが、用紙を基準として、自分の欲する印刷結果となるかを容易に判断できる。
【００７９】
また、本発明の画像形成装置（１１０）において、前記制御部（１２９）は、前記表示部（１２１）に前記印刷イメージを表示させながら、前記入力操作部（１２２）の操作に応じて、印刷に用いられる用紙のイメージの大きさを変化させることを特徴とする。
【００８０】
このような構成にすることにより、ユーザが、画像を基準として、自分の欲する印刷結果となるかを容易に判断できる。
【００８１】
また、本発明の画像形成装置（１１０）において、前記制御部（１２９）は、前記印刷イメージにより、ユーザに再確認をさせるメッセージを前記表示部（１２１）に表示させることを特徴とする。
【００８２】
このような構成にすることにより、ユーザの選択ミスが低減でき、よりユーザが所望の印刷でないことに容易に気付けて、印刷の無駄がなくなるのを防止できる。
【００８３】
また、本発明の画像形成装置（１１０）において、前記制御部（１２９）は、原稿サイズ及び用紙サイズの何れか一方が非定形サイズという設定になった時点で、前記印刷イメージを表示すること特徴とする。
【００８４】
このような構成にすることにより、途中で表示するよりも、より早期にユーザが気づくことが出来て、操作の手数が低減できる。
【符号の説明】
【００８５】
１００  画像形成システム
１１０  画像形成装置
１１１  原稿走査部
１１２  操作パネル部
１１３  記録媒体読取部
１１４  胴内排紙部
１１５  画像形成部
１１６  給紙部
１１７  手差し給紙部
１２１  表示部
１２２  入力操作部
１２３  通信インターフェース
１２４  電力制御部
１２５  一時記憶部
１２６  読取画像データ生成制御部
１２７  印刷制御部
１２８  記憶部
１２９  主制御部
１３０  バス
【図１】
2015012307.tif 000003
【図２】
2015012307.tif 000004
【図３】
2015012307.tif 000005
【図４】
2015012307.tif 000006
【図５】
2015012307.tif 000007
【図６】
2015012307.tif 000008
【図７】
2015012307.tif 000009
【図８】
2015012307.tif 000010
【図９】
2015012307.tif 000011
【図１０】
2015012307.tif 000012
【図１１】
2015012307.tif 000013
【図１２】
2015012307.tif 000014
【図１３】
2015012307.tif 000015
【図１４】
2015012307.tif 000016